(57)【要約】【課題】太刀魚テンヤなどのテンヤについて、釣果アップのために、かかった魚のバラシを起こり難くすることを課題としている。【解決手段】錘２の後方に釣り針３を設けたテンヤであって、釣り針の胴３ａがほぼ水平になる姿勢のときに、錘２の先端から上向きに折り曲げられた折り曲げ部７ａとその折り曲げ部から斜め後方上向きに延びる直線部７ｂが形成され、さらに、最上部に前後の重量のバランス点に配置される曲げ戻し部７ｃが作り出された形状のハリス接続部７を錘２の上部に設けた。【選択図】図１
2015192607.tif 000002
【特許請求の範囲】
【請求項１】
錘（２）を先端に配し、その錘の後方に釣り針（３）の胴（３ａ）を延び出させ、胴の後端に腰曲げ部（３ｂ）、先曲げ部（３ｃ）、及び返し（３ｄ）のついた針先部（３ｅ）を設けたテンヤであって、前記釣り針の胴（３ａ）がほぼ水平になる姿勢のときに、材料の線材が前記錘（２）の先端から上向きに折り曲げられた折り曲げ部（７ａ）とその折り曲げ部から斜め後方上向きに延びる直線部（７ｂ）が形成され、さらに、最上部に前後の重量のバランス点に配置される曲げ戻し部（７ｃ）が形成された形状のハリス接続部（７）を前記錘（２）の上部に設けたテンヤ。
【請求項２】
前記ハリス接続部（７）にハリス接続用のリング（１０）を遊嵌した請求項１に記載のテンヤ。
【請求項３】
前記釣り針の胴（３ａ）の針先側とは反対側に延長部を設け、その延長部を曲げ加工して前記釣り針（３）と一体の前記ハリス接続部（７）を形成した請求項１又は２に記載のテンヤ。
【請求項４】
前記釣り針の胴（３ａ）の上部に、餌を突き刺す止め針（４）を設け、さらに、前記錘（２）の下部に環（５）を設け、その環に前記止め針（４）を突き刺した餌を前記胴（３ａ）にくくりつけるワイヤー（６）を接続して太刀魚テンヤとなした請求項１〜３のいずれかに記載のテンヤ。
【発明の詳細な説明】
【技術分野】
【０００１】
この発明は、太刀魚テンヤや真鯛テンヤとして特に好適な釣具のテンヤに関する。
【背景技術】
【０００２】
例えば、太刀魚の船釣りでは、錘と釣り針を一体化した太刀魚テンヤが使用されている。その太刀魚テンヤの一例を図５に示す。例示のテンヤ２１は、錘２を先端に配し、その錘２の後方に釣り針３の胴（軸）３ａを延び出させ、胴の後端に腰曲げ部３ｂ、先曲げ部３ｃ、及び返し３ｄのついた針先部３ｅを設けている。
【０００３】
また、先端の錘２の外周に環２２を取り付けており、その環２２にハリス（図示せず。金属ワイヤーのハリスが一般的）の端部に設けられたインターロックスナップ（これも図示せず）を掛けてテンヤとハリスを接続する構造になっている。
【０００４】
なお、太刀魚テンヤについては、先端の錘２を図示した如き魚頭形状にし、表面を蓄光塗料で塗装し、さらに、光反射材を組み込んだ目をつけるなどして魚に対するアピール性を高めたものが好まれて多用されている。
【０００５】
そのような魚頭形状の錘２の頭頂部（前後の重量のバランス点）に前記環２２を設けており、その環２２にハリスを接続してテンヤ２１を宙吊りにすると、そのテンヤ２１は、ほぼ水平姿勢になって吊り下がる。
【０００６】
釣り針３の胴３ａには、餌の魚（鰯など）が取り付けられる。胴３ａの上部には止め針４が設けられており、その止め針４を餌の魚に突き刺し、ワイヤー６で巻き縛るなどしてその餌の魚を胴３ａに固定する。
【０００７】
そのようにして餌をつけたテンヤ２１を船上から海中に投入すると、テンヤ２１が水平姿勢に吊り下がる。陸からの投げ釣りでもウキをつけると同様の姿勢になる。そのために、餌の魚は泳いでいるように見え、生き餌を好む太刀魚が食いつく確率が高まる。
【０００８】
なお、錘が魚頭形状でない太刀魚テンヤも勿論存在する（例えば、下記特許文献１参照）。ただし、その種のものも、錘に設けた環にハリスを接続してテンヤを吊るすと、テンヤがほぼ水平姿勢になるようにしており、この点は、太刀魚テンヤの従来品に共通した構造となっている。
【先行技術文献】
【特許文献】
【０００９】
【特許文献１】特開２０１２−１６５７３２号公報
【発明の概要】
【発明が解決しようとする課題】
【００１０】
従来の太刀魚テンヤは、餌をつけて水中に投入したときに水平姿勢となるように前記環
を前後の重量がバランスする位置に設けており、そのために、太刀魚がかかって釣り糸（テグス）を巻き取るときに、テンヤの姿勢が垂直にならず、そのことが、釣りで言うバラシ（かかった魚が外れること）の原因となっている。
【００１１】
この発明は、釣果アップのために、かかった魚のバラシを起こり難くすることを課題としている。
【課題を解決するための手段】
【００１２】
上記の課題を解決するため、この発明においては、錘を先端に配し、その錘の後方に釣り針の胴を延び出させ、胴の後端に腰曲げ部、先曲げ部、及び返しのついた針先部を設けたテンヤに以下の改善を加えた。
【００１３】
即ち、釣り針の胴がほぼ水平になる姿勢のときに、材料の線材が前記錘の先端から上向きに折り曲げられた折り曲げ部とその折り曲げ部から斜め後方上向きに延びる直線部が形成され、さらに、最上部に前後の重量のバランス点に配置される曲げ戻し部が形成された形状のハリス接続部を前記錘の上部に設けた。
【００１４】
このテンヤは、前記ハリス接続部にリングを遊嵌してそのリングにハリスを接続すると好ましい。
【００１５】
また、前記ハリス接続部は、釣り針の胴の針先側とは反対側に延長部を設け、その延長部を曲げ加工して釣り針と一体に形成すると好ましい。
【００１６】
なお、この発明は、太刀魚テンヤ、真鯛テンヤのどちらに適用しても上記形状のハリス接続部を設置した効果が発揮される。
【００１７】
かかるテンヤ、中でも、太刀魚テンヤについては、以下に列挙するような構成を付加すると好ましい。
１）前記錘を魚頭形状にする。
２）錘の表面に蓄光塗料の塗膜を設ける。
３）魚頭形状の錘に光反射材を組み込んだ人造の目をつける。
４）釣り針の胴に蓄光顔料を練り込むなどしたラバージグを取り付ける。
５）釣り針の胴を、クッション材で覆う。
【００１８】
なお、真鯛テンヤについては、釣り針の胴に取り付ける餌は、魚よりも海老が良いと思われる。この真鯛テンヤも、上記１）〜５）の構成を付加することができる。真鯛テンヤについては、錘を真鯛が好む海老などに似せた形状にすることもできる。
【発明の効果】
【００１９】
この発明のテンヤは、前記ハリス接続部の最上部の曲げ戻し部に吊り荷重が加わっている場合には、全体が水平姿勢になる。そのために、釣り針の胴に取り付けた餌の魚や海老が泳いでいるように見え、釣り対象の魚が喰いつき易くなる。
【００２０】
また、魚がかかると魚の重みや逃げようとする抵抗によって針先側が下に下がり、そのために、前記ハリス接続部に遊嵌されたリング又は、そのハリス接続部に遊嵌させたハリスの端部のインターロックスナップがハリス接続部の前記直線部に沿って滑って錘の先端の折り曲げ部に移動し、これにより、テンヤの姿勢が垂直になり、かかった魚のバラシが発生し難くなる。
【００２１】
なお、前記ハリス接続部にリングを遊嵌し、そのリングにハリスを接続するものは、ハリスによるテンヤの姿勢変化の拘束が全く起こらず、魚がかかったときにテンヤがスムーズに垂直姿勢になる。
【００２２】
また、そのリングがあると、ハリスを直接そのリングに結びつけてテンヤを使用することも可能になる。
【００２３】
また、前記ハリス接続部を釣り針と一体に形成したものは、ハリス接続部が錘から外れる心配がない。これに加え、テンヤの製造の手間も、錘と釣り針を一体化した後に別体のハリス接続部を別途取り付ける場合に比べて減少する。
【００２４】
このほか、上記１）〜４）の構成を付加したものは、魚に対するアピール性が高まって釣果の更なる向上が期待できる。また、５）の構成を付加したものは、胴に取り付けた餌がかかった魚に喰いちぎられることが抑制されて餌持ちが良くなる。
【図面の簡単な説明】
【００２５】
【図１】この発明を太刀魚テンヤに適用した例を示す側面図である。
【図２】この発明を太刀魚テンヤに適用した他の例を示す側面図である。
【図３】図１の太刀魚テンヤに餌を取り付けてその太刀魚テンヤを水平に吊るした状態を示す側面図である。
【図４】図１のテンヤに魚（太刀魚）がかかった状態を示す側面図である。
【図５】太刀魚テンヤの従来品の一例を示す側面図である。
【発明を実施するための形態】
【００２６】
以下、この発明のテンヤの実施の形態を添付図面の図１〜図４に基づいて説明する。例示のテンヤは、太刀魚テンヤである。
【００２７】
その太刀魚テンヤ１は、魚頭形状に成形した錘２を先端に配し、その錘２の後方に釣り針３の胴３ａを延び出させ、胴の後端に腰曲げ部３ｂ、先曲げ部３ｃ、及び返し３ｄのついた針先部３ｅを設けている。
【００２８】
また、釣り針の胴３ａの長手途中に、餌の魚を突き刺す止め針４を設け、さらに、錘２の下部（魚頭のあご）に環５を設け、その環５に餌の魚をくくりつけるワイヤー６（ステンレス線が一般的）の一端を接続している。
【００２９】
以上の構成は従来品と変わるところがない。従来品と異なる点は、従来品については錘２の外周の前後の重量のバランス点に環を取り付けていたが、その環に代えて図示したような形状のハリス接続部７を設けており、この部分に発明の特徴がある。
【００３０】
ハリス接続部７は、材料の線材を錘２の先端において上向きに屈曲させて折り曲げ部７ａを形成し、さらに、その折り曲げ部７ａから斜め後方上向きに延びる直線部７ｂを形成し、その直線部の上端を下側に曲げ戻して最上部に位置する曲げ戻し部７ｃを形成した形状になっている。曲げ戻し部７ｃはテンヤの前後の重量のバランス点にある。
【００３１】
例示のテンヤ１のハリス接続部７は、釣り針の胴３ａの針先側とは反対側に延長部を設け、その延長部を曲げ加工して釣り針３と一体に形成している。また、止め針４のひとつもハリス接続部７に連ならせているが、ハリス接続部７や止め針４を釣り針３と一体に形成することは、製造の簡素化面では有利であるが必須ではない。その３者は各々が別加工されたものを組み合わせて設けてもよい。
【００３２】
そのハリス接続部７が連設された釣り針３を鋳型にセットし、その鋳型に溶かした鉛を流し入れて魚頭形状の錘２を釣り針３に一体化している。
【００３３】
その魚頭形状の錘２の表面には、蓄光塗料の塗膜８が設けられ、さらに、魚頭（錘２）には光反射材を組み込んだ人造の目９が埋め込まれている。
【００３４】
なお、例示のテンヤ１は、ハリス接続部７にリング１０を遊嵌しており、そのリング１０にハリス１５（図３、図４参照）が接続される。ワイヤー製ハリス１５の端部には、インターロックスナップ１６が取り付けられており、そのインターロックスナップ１６をリング１０にかけることでテンヤ１をハリス１５につなぐことができる。
【００３５】
リング１０があれば、インターロックスナップ１６の無いハリスをリング１０に直接結びつけるけることも可能である。
【００３６】
端部にインターロックスナップ１６が取り付けられている図示のようなハリスを使用する場合には、インターロックスナップ１６をハリス接続部７に直接遊嵌することもできる。従って、リング１０は必須ではない。
【００３７】
なお、釣り針３の胴３ａには、図２に示すように、蓄光顔料を練り込むなどしたラバージグ１１や胴３ａを覆う軟質樹脂などからなるクッション材１２を取り付けておくことができる。
【００３８】
ラバージグ１１を設けたテンヤは、餌の魚が喰いちぎられたり、外れたりしてもラバージグ１１で魚を誘うことができる。
【００３９】
また、胴３ａを覆うクッション材１２を設けたものは、クッション材１２による緩衝作用によって胴３ａに取り付けた餌が保護され、かかった魚に喰いちぎられ難くなる。
【００４０】
このほか、錘２には、胴３ａに取り付ける餌の魚の頭部の干渉を避ける凹部２ａを設けることができる。
【００４１】
このように構成したテンヤ１は、図３に示すように、胴３ａにいわしなどの餌１３を取り付けて使用する。餌１３を、止め針４を突き刺して胴３ａに沿わせ、外周にワイヤー６を巻きつけて胴３ａに固定する。もちろん他の方法で餌１３を胴３ａに固定しても構わない。
【００４２】
餌１３をつけたテンヤ１を吊り荷重がハリス接続部７の最上部の曲げ戻し部７ｃに加わる状態にして水平姿勢に吊下げ、好ましくはその状態を保って海中に投入する。
【００４３】
吊り荷重がハリス接続部７の先端の折り曲げ部７ａに加わる状態にテンヤ１を吊下げると、そのテンヤ１は垂直姿勢になる。
【００４４】
仮にそのような姿勢で餌を付けたテンヤ１が海中に投入されたとしても、餌のある後部側よりもテンヤの先端側が重く、加えて、着水時の沈み込みの抵抗が先端側よりも後部側で大きくなるために、垂直姿勢が自動的に修正されてハリスの連結点が曲げ戻し部７ｃの位置に移る。
【００４５】
そのために、目的の棚まで沈めたテンヤは、水平姿勢を保ち、餌が泳いでいるように見える。
【００４６】
また、魚（太刀魚）が喰いついて針にかかると、魚の重みや逃げようとする抵抗によって針先側が下に下がる。そのために、ハリス接続部７に対するハリスの接続点がハリス接続部７の先端の折り曲げ部７ａに移り、これにより、テンヤ１の姿勢が図４に示すように垂直になり、かかった魚が釣り針から外れ難くなってバラシが減少する。
【００４７】
試作品のテンヤ（図２に示した形状のもの）を実際に使用して図５に示した従来品との釣果の違いを調べたところ、従来品ではバラシが結構あったのに対し、例示のテンヤではそのバラシがほとんど無く、釣果に大きな差がでた。
【００４８】
なお、例示のテンヤは太刀魚テンヤであるが、この発明は真鯛テンヤにも適用できる。その真鯛テンヤは、餌の海老などを釣り針に直接刺して取り付けることができ、太刀魚テンヤに設けられる止め針や餌を固定するワイヤーなどは不要である。
【符号の説明】
【００４９】
１          テンヤ
２          錘
２ａ        凹部
３          釣り針
３ａ        胴
３ｂ        腰曲げ部
３ｃ        先曲げ部
３ｄ        返し
３ｅ        針先部
４          止め針
５          環
６          ワイヤー
７          ハリス接続部
７ａ        折り曲げ部
７ｂ        直線部
７ｃ        曲げ戻し部
８          蓄光塗料の塗膜
９          人造の目
１０        リング
１１        ラバージグ
１２        クッション材
１３        餌
１５        ハリス
１６        インターロックスナップ
２２        環
【図１】
2015192607.tif 000003
【図２】
2015192607.tif 000004
【図３】
2015192607.tif 000005
【図４】
2015192607.tif 000006
【図５】
2015192607.tif 000007